(57)【要約】【課題】本発明は、各種製造／検査装置１０１を管理する製造／検査装置管理システム等に関するものであり、製造／検査装置１０１に関する情報交換を電子掲示板システム２０６によって可能にするためのものである。【解決手段】工場内ネットワーク１００と、オフィスネットワーク３００に接続されたサーバ装置２００に、電子掲示板システム２０６を設けて製造／検査装置１０１ごとに分類して格納することにより、工場内ネットワーク１００やオフィスネットワーク３００から、必要なときに掲示板Ｗｅｂページを閲覧したり、情報の書き込みを行う。【選択図】　　　図１
2004072329.tif 000002
【特許請求の範囲】
【請求項１】
内部に第１の入力手段と第１の記憶手段と第１の表示手段とを具備する第１のコンピュータを設けた複数の製造／検査装置で構成される第１のネットワークと、
内部に第２の入力手段と第２の記憶手段と第２の表示手段とを具備する第２のコンピュータを含んで構成される第２のネットワークとを、
内部に電子掲示板システムを設けたサーバ装置を介して接続し、
前記第１の記憶手段または前記第２の記憶手段は、前記複数の製造／検査装置のうち一の製造／検査装置を特定するための特定情報を記憶し、
前記第１のコンピュータまたは前記第２のコンピュータを操作する操作者は、前記第１の入力手段または第２の入力手段によって、掲示板Ｗｅｂページの閲覧を希望する一の製造／検査装置を選択し、
前記操作者によって操作された前記第１のコンピュータまたは前記第２のコンピュータは、前記第１の記憶手段または第２の記憶手段に記憶した前記特定情報から前記選択された製造／検査装置に対応する特定情報と、閲覧要求信号とを前記電子掲示板システムへ送信し、
前記電子掲示板システムは、前記送信された特定情報に対応する掲示板Ｗｅｂページを前記操作者によって操作された前記第１のコンピュータまたは前記第２のコンピュータへ送信し、
前記操作者によって操作された前記第１のコンピュータまたは前記第２のコンピュータは、前記送信された掲示板Ｗｅｂページを前記第１の表示手段または前記第２の表示手段にて表示し、
前記掲示板Ｗｅｂページを表示した前記第１の表示手段または前記第２の表示手段を具備する前記第１のコンピュータまたは前記第２のコンピュータを操作する操作者は、前記第１の入力手段または第２の入力手段によって、前記表示された掲示板Ｗｅｂページのあらかじめ定められた箇所にメッセージ情報を入力し、前記入力されたメッセージ情報と、前記表示された掲示板Ｗｅｂページの前記製造／検査装置に対応する特定情報とを、前記電子掲示板システムに送信し、
前記電子掲示板システムは、前記送信されたメッセージ情報を前記製造／検査装置ごとに分類して格納することを特徴とする製造／検査装置管理システム。
【請求項２】
請求項１に記載の製造／検査装置管理システムにおいて、
前記第１のネットワークと前記サーバ装置はＵＤＰ（Ｕｓｅｒ　Ｄａｔａｇｒａｍ　Ｐｒｏｔｏｃｏｌ）を用いて接続されており、
前記サーバ装置は、公衆回線を含む第３のネットワークに接続されていることを特徴とする製造／検査装置管理システム。
【請求項３】
製造／検査装置管理システムに含まれるサーバ装置であって、前記システムは、内部に第１の入力手段と第１の記憶手段と第１の表示手段とを具備する第１のコンピュータを設けた複数の製造／検査装置で構成される第１のネットワークと、
内部に第２の入力手段と第２の記憶手段と第２の表示手段とを具備する第２のコンピュータを含んで構成される第２のネットワークとを、
内部に電子掲示板システムを設けた前記サーバ装置を介して接続し、
前記第１の記憶手段または第２の記憶手段は、前記複数の製造／検査装置のうち一の製造／検査装置を特定するための特定情報を記憶し、
前記第１のコンピュータまたは前記第２のコンピュータを操作する操作者は、前記第１の入力手段または第２の入力手段によって、掲示板Ｗｅｂページの閲覧を希望する一の製造／検査装置を選択し、
前記操作者によって操作された前記第１のコンピュータまたは前記第２のコンピュータは、前記第１の記憶手段または第２の記憶手段に記憶した前記特定情報から前記選択された製造／検査装置に対応する特定情報と、閲覧要求信号とを前記電子掲示板システムへ送信し、
前記電子掲示板システムは、前記送信された特定情報に対応する掲示板Ｗｅｂページを前記操作者によって操作された前記第１のコンピュータまたは前記第２のコンピュータへ送信し、
前記操作者によって操作された前記第１のコンピュータまたは前記第２のコンピュータは、前記送信された掲示板Ｗｅｂページを前記第１の表示手段または前記第２の表示手段にて表示し、
前記掲示板Ｗｅｂページを表示した前記第１の表示手段または前記第２の表示手段を具備する前記第１のコンピュータまたは前記第２のコンピュータを操作する操作者は、前記第１の入力手段または第２の入力手段によって、前記表示された掲示板Ｗｅｂページのあらかじめ定められた箇所にメッセージ情報を入力し、前記入力されたメッセージ情報と、前記表示された掲示板Ｗｅｂページの前記製造／検査装置に対応する特定情報とを、前記電子掲示板システムに送信し、
前記電子掲示板システムは、前記送信されたメッセージ情報を前記製造／検査装置ごとに分類して格納することを特徴とするサーバ装置。
【請求項４】
請求項３に記載のサーバ装置は、公衆回線を含む第３のネットワークに接続されており、
前記第１のネットワークと前記サーバ装置はＵＤＰ（Ｕｓｅｒ　Ｄａｔａｇｒａｍ　Ｐｒｏｔｏｃｏｌ）を用いて接続されることを特徴とするサーバ装置。
【発明の詳細な説明】
【０００１】
【発明の属する技術分野】
本発明は、各種製造／検査装置を管理する製造／検査装置管理システム等に関する。
【０００２】
【従来の技術】
従来、各種製造／検査装置の管理において、装置専用のノートなどを使って装置の作業者や管理者が情報交換を行っていた。
【０００３】
また、製造／検査装置に障害が発生した場合はその状況を保守管理委託会社や製造会社に電話で連絡して対応を行っていた。
【０００４】
【発明が解決しようとする課題】
しかしながら、専用のノートなどによる情報交換の場合、ノートの紛失などが問題となっていた。
【０００５】
また、電話によって保守管理会社などに連絡をした場合に、製造／検査装置の担当者が不在の場合など、電話をかけ続けなければならないという問題があった。
【０００６】
【課題を解決するための手段】
上記の課題を解決するために、請求項１に記載の発明は内部に入力部などの第１の入力手段と記憶部などの第１の記憶手段と表示部などの第１の表示手段とを具備する第１のコンピュータを設けた複数の製造／検査装置で構成される工場内ネットワークなどの第１のネットワークと、内部に入力部などの第２の入力手段と記憶部などの第２の記憶手段と表示部などの第２の表示手段とを具備する第２のコンピュータを含んで構成されるオフィスネットワークなどの第２のネットワークとを、内部に電子掲示板システムを設けたサーバ装置を介して接続し、前記第１の記憶手段または第２の記憶手段は、前記複数の製造／検査装置のうち一の製造／検査装置を特定するための特定情報を記憶し、前記第１のコンピュータまたは前記第２のコンピュータを操作する操作者は、前記第１の入力手段または第２の入力手段によって、掲示板Ｗｅｂページの閲覧を希望する一の製造／検査装置を選択し、前記操作者によって操作された前記第１のコンピュータまたは前記第２のコンピュータは、前記第１の記憶手段または第２の記憶手段に記憶した前記特定情報から前記選択された製造／検査装置に対応する特定情報と、閲覧要求信号とを前記電子掲示板システムへ送信し、前記電子掲示板システムは、前記送信された特定情報に対応する掲示板Ｗｅｂページを前記操作者によって操作された前記第１のコンピュータまたは前記第２のコンピュータへ送信し、前記操作者によって操作された前記第１のコンピュータまたは前記第２のコンピュータは、前記送信された掲示板Ｗｅｂページを前記第１の表示手段または前記第２の表示手段にて表示し、前記掲示板Ｗｅｂページを表示した前記第１の表示手段または前記第２の表示手段を具備する前記第１のコンピュータまたは前記第２のコンピュータを操作する操作者は、前記第１の入力手段または第２の入力手段によって、前記表示された掲示板Ｗｅｂページのあらかじめ定められた箇所にメッセージ情報を入力し、前記入力されたメッセージ情報と、前記表示された掲示板Ｗｅｂページの前記製造／検査装置に対応する特定情報とを、前記電子掲示板システムに送信し、前記電子掲示板システムは、前記送信されたメッセージ情報を前記製造／検査装置ごとに分類して格納することを特徴とする。
【０００７】
よって、掲示板Ｗｅｂページを閲覧することにより、製造／検査装置に関する情報交換が可能になる。
【０００８】
また、掲示板Ｗｅｂページにより過去のメッセージを閲覧することが可能になるため、製造／検査装置に障害が発生した場合の対応などを確認することも可能になる。
【０００９】
上記の課題を解決するために、請求項２に記載の発明は、請求項１に記載の製造／検査装置管理システムにおいて、前記第１のネットワークと前記サーバ装置はＵＤＰ（Ｕｓｅｒ　Ｄａｔａｇｒａｍ　Ｐｒｏｔｏｃｏｌ）を用いて接続されており、前記サーバ装置は、公衆回線を含む公衆回線ネットワークなどの第３のネットワークに接続されていることを特徴とする製造／検査装置管理システム。
【００１０】
よって、公衆回線ネットワークをサーバ装置に接続することにより、遠隔地から携帯端末を用いて容易に装置の状態を把握することが可能になる。
【００１１】
また、サーバ装置の認証が不要になることから、製造／検査装置内の第１のコンピュータの制御負荷が減少する。
【００１２】
上記の課題を解決するために、請求項３に記載の発明は、製造／検査装置管理システムに含まれるサーバ装置であって、前記システムは、内部に入力部などの第１の入力手段と記憶部などの第１の記憶手段と表示部などの第１の表示手段とを具備する第１のコンピュータを設けた複数の製造／検査装置で構成される工場内ネットワークなどの第１のネットワークと、内部に入力部などの第２の入力手段と記憶部などの第２の記憶手段と表示部などの第２の表示手段とを具備する第２のコンピュータを含んで構成されるオフィスネットワークなどの第２のネットワークとを、内部に電子掲示板システムを設けた前記サーバ装置を介して接続し、前記第１の記憶手段または第２の記憶手段は、前記複数の製造／検査装置のうち一の製造／検査装置を特定するための特定情報を記憶し、前記第１のコンピュータまたは前記第２のコンピュータを操作する操作者は、前記第１の入力手段または第２の入力手段によって、掲示板Ｗｅｂページの閲覧を希望する一の製造／検査装置を選択し、前記操作者によって操作された前記第１のコンピュータまたは前記第２のコンピュータは、前記第１の記憶手段または第２の記憶手段に記憶した前記特定情報から前記選択された製造／検査装置に対応する特定情報と、閲覧要求信号とを前記電子掲示板システムへ送信し、前記電子掲示板システムは、前記送信された特定情報に対応する掲示板Ｗｅｂページを前記操作者によって操作された前記第１のコンピュータまたは前記第２のコンピュータへ送信し、前記操作者によって操作された前記第１のコンピュータまたは前記第２のコンピュータは、前記送信された掲示板Ｗｅｂページを前記第１の表示手段または前記第２の表示手段にて表示し、前記掲示板Ｗｅｂページを表示した前記第１の表示手段または前記第２の表示手段を具備する前記第１のコンピュータまたは前記第２のコンピュータを操作する操作者は、前記第１の入力手段または第２の入力手段によって、前記表示された掲示板Ｗｅｂページのあらかじめ定められた箇所にメッセージ情報を入力し、前記入力されたメッセージ情報と、前記表示された掲示板Ｗｅｂページの前記製造／検査装置に対応する特定情報とを、前記電子掲示板システムに送信し、前記電子掲示板システムは、前記送信されたメッセージ情報を前記製造／検査装置ごとに分類して格納することを特徴とするサーバ装置。
【００１３】
よって、掲示板Ｗｅｂページを閲覧することにより、製造／検査装置に関する情報交換が可能になる。
【００１４】
また、掲示板Ｗｅｂページにより過去のメッセージを閲覧することが可能になるため、製造／検査装置に障害が発生した場合の対応などを確認することも可能になる。
【００１５】
上記の課題を解決するために、請求項４に記載の発明は、請求項３に記載のサーバ装置は、公衆回線を含む公衆回線ネットワークなどの第３のネットワークに接続されており、前記第１のネットワークと前記サーバ装置はＵＤＰ（ＵｓｅｒＤａｔａｇｒａｍ　Ｐｒｏｔｏｃｏｌ）を用いて接続されることを特徴とする。
【００１６】
よって、公衆回線ネットワークをサーバ装置に接続することにより、遠隔地から携帯端末を用いて容易に装置の状態を把握することが可能になる。
【００１７】
また、サーバ装置の認証が不要になることから、製造／検査装置内の第１のコンピュータの制御負荷が減少する。
【００１８】
【発明の実施の形態】
本発明に好適な実施の形態を図面に基づいて説明する。
【００１９】
（第１の実施の形態）
図１は製造／検査装置管理システムの概要構成を示すブロック図である。
【００２０】
製造／検査装置管理システムは、工場内ネットワーク１００と、オフィスネットワーク３００とがサーバ装置２００を介して接続されて構成される。これらは専用回線を用いて接続しても、公衆回線を用いて接続してもよい。また、インターネット回線またはＬＡＮを用いて接続してもよい。
【００２１】
工場内ネットワーク１００は、通常複数の製造／検査装置１０１が互いに接続されて構成されている。
【００２２】
また、オフィスネットワーク３００は、コンピュータ３１０を含んで構成されている。
【００２３】
図２は前記工場内ネットワーク１００内の製造／検査装置１０１の概要構成を示すブロック図である。
【００２４】
図２に示す如く、該製造／検査装置１０１はコンピュータ１０２を備えている。
【００２５】
前記コンピュータ１０２は、第１の記憶手段としての記憶部１０３、検出部１０４、送信部１０５および制御部１０６により構成されている。
【００２６】
記憶部１０３は、工場内ネットワーク１００を構成する複数の製造／検査装置１０１のうち、一の製造／検査装置を特定するための装置の製造番号などの特定情報Ｉｎｎを記憶している。
【００２７】
検出部１０４は、製造／検査装置１０１において、たとえば製品の加工作業を開始する開始動作や、製造工程時間の計測など、任意の動作が完了すると、または、動作中にその動作を状態情報Ｉｓｎとして検出する。
【００２８】
送信部１０５は、状態情報Ｉｓｎと特定情報Ｉｎｎとの対を、サーバ装置２００へと送信する。特定情報Ｉｎｎは、製造／検査装置１０１を特定するための情報である。
【００２９】
制御部１０６はコンピュータ１０２内におけるこれら各部の動作を制御するためのものである。
【００３０】
図３はサーバ装置２００の概要構成を示すブロック図である。
【００３１】
サーバ装置２００は、受信部２０１、記憶部２０２、送信部２０３および制御部２０４で構成される。
【００３２】
受信部２０１は、製造／検査装置１０１内のコンピュータ１０２の前記送信部１０５から送信される状態情報Ｉｓｎと特定情報Ｉｎｎとの対、および、オフィスネットワーク３００からの状態情報要求信号ＱＩｓを受信する。
【００３３】
記憶部２０２は、受信した状態情報Ｉｓｎと特定情報Ｉｎｎとの対を後に詳述する手順により、製造／検査装置１０１毎の時系列にて格納するためのものである。
【００３４】
送信部２０３は、オフィスネットワーク３００からの要求により、状況把握を所望する製造／検査装置１０１の状態情報Ｉｓｎをオフィスネットワーク３００に送信する。
【００３５】
制御部２０４は、前記記憶部２０２に状態情報Ｉｓｎと特定情報Ｉｎｎとの対を記憶させる際に、特定情報ごとに時系列で記憶させるなど、サーバ装置２００内における各部の動作を制御するためのものである。
【００３６】
図４は、工場内ネットワーク１００がｎ台の製造／検査装置１０１で構成された場合に、記憶部２０２に格納された特定情報Ｉｎｎに対する状態情報Ｉｓｎを示す説明図である。
【００３７】
状態情報Ｉｓｎは、例えば集計開始時刻、稼働時間、自動運転時間、異常停止時間、加工数量、不良項目名、不良項目数量、消耗品などの残量、消耗品交換予定日時、装置の仕様情報などであるが、装置の仕様情報などは例えば装置稼動開始時にのみサーバ装置２００へ送信し、それ以外の状態情報Ｉｓｎは、随時サーバ装置２００へ送信するよう制御部１０６によって制御させる。
【００３８】
製造／検査装置１０１からサーバ装置２００へ随時送信される状態情報Ｉｓｎを時系列で記憶させ、データベース化する。
【００３９】
データベースは状態情報Ｉｓｎの種類に応じて作成する。例えば生産状況データベース、稼動状況データベース、装置仕様データベースなどである。
【００４０】
状態情報Ｉｓｎは、上述した項目に限られず、検出部１０４により工場内ネットワーク１００内に設置されている各種装置に適した項目を検出するように制御部１０６によって制御させることも可能である。
【００４１】
また、図中、状態情報Ｉｓｎが１秒毎に送信されているが、これに限定されず、装置内のコンピュータ１０２やサーバ装置２００の性能や、工場内ネットワーク１００とサーバ装置２００との接続速度などに応じて自由に設定してもよい。
【００４２】
特に、工場内ネットワーク１００とサーバ装置２００との接続はＵＤＰ（Ｕｓｅｒ　Ｄａｔａｇｒａｍ　Ｐｒｏｔｏｃｏｌ）を活用することにより、サーバ装置２００の認証が不要になることから、製造／検査装置内のコンピュータ１０２の制御負荷が減少すると共に、特定情報Ｉｎｎと状態情報Ｉｓｎの送信が、より高速かつ高頻度に行うことができ、サーバ装置２００内の記憶部２０２には、常により最新の状態情報Ｉｓｎを格納することが可能になる。
【００４３】
オフィスネットワーク３００は、選択部３０１、送信部３０２、受信部３０３、表示部３０４および制御部３０５で構成されるコンピュータ３１０を含んで構成される。このコンピュータ３１０は複数備えることも可能である。
【００４４】
図５はオフィスネットワーク３００内のコンピュータ３１０の概要構成を示すブロック図である。
【００４５】
選択部３０１は、状況把握を所望する製造／検査装置１０１を選択するためのものである。
【００４６】
送信部３０２は、選択された製造／検査装置１０１を特定するための特定情報Ｉｎｎと、状態情報要求信号ＱＩｓとを前記サーバ装置２００へ送信する。製造／検査装置１０１を特定するための特定情報Ｉｎｎは、コンピュータ３１０で読み取り可能な記憶媒体やコンピュータ３１０に具備した図示しない記憶部などに製造／検査装置と対応付けて記憶させておき、必要に応じて制御部３０５の制御によって読み出せばよい。
【００４７】
受信部３０３は、前記サーバ装置２００から送信される状態情報Ｉｓｎを受信するためのものであり、表示部３０４は、受信した状態情報Ｉｓｎを表示するためのものである。
【００４８】
制御部３０５はこれら各部の動作を制御するためのものである。
【００４９】
次に本実施の形態における動作について説明する。
【００５０】
図６は製造／検査装置１０１から状態情報Ｉｓｎを送信する動作を示すフローチャートである。
【００５１】
まず、製造／検査装置１０１内の制御部１０６は、検出部１０４により、製造／検査装置１０１の動作や仕様を状態情報Ｉｓｎとして検出する（ステップＳ１）。
【００５２】
次に、記憶部１０３内にあらかじめ記憶した製造／検査装置１０１の特定情報Ｉｎｎと、ステップＳ１にて検出した状態情報Ｉｓｎとの対を送信部１０５からサーバ装置２００へ送信する（ステップＳ２）。ステップＳ１およびＳ２の処理は制御部１０６の制御により実行される。
【００５３】
受信部２０１より受信した特定情報Ｉｎｎと状態情報Ｉｓｎの対は、特定情報Ｉｎ毎に時系列で記憶部２０２に格納され（ステップＳ３）、図６に示す動作は終了する。ステップＳ３の処理は制御部２０４の制御に基づいて実行される。格納された特定情報Ｉｎｎと状態情報Ｉｓｎの対は、図４に示す如く対応付けて格納される。
【００５４】
次に、製造／検査装置１０１の状態情報Ｉｓをオフィスネットワーク３００内の表示部３０４に表示するまでの動作を図を用いて説明する。
【００５５】
図７はサーバ装置２００から状態情報Ｉｓｎを受信する動作を示すフローチャートである。
【００５６】
まず、オフィスネットワーク３００内のコンピュータ３１０に具備した選択部３０１により、状況把握を所望する製造／検査装置１０１を選択する（ステップＳ２１）。次に、選択された製造／検査装置１０１に対応する特定情報Ｉｎｎと状態情報要求信号ＱＩｓを送信部３０２によってサーバ装置２００へ送信する（ステップＳ２２）。上記ステップＳ２１、Ｓ２２の処理は制御部３０５により実行される。
【００５７】
次に、サーバ装置２００内の受信部２０１で特定情報Ｉｎｎと状態情報要求信号ＱＩｓを受信する（ステップＳ２３）。そして、記憶部２０２に格納された状態情報Ｉｓｎのうち、受信した特定情報Ｉｎｎに対応する最新の状態情報Ｉｓｎを抽出し、送信部２０３により、状態情報要求信号ＱＩｓが送信されたコンピュータ３１０へ抽出された状態情報Ｉｓｎを送信する（ステップＳ２４）。上記ステップＳ２３、Ｓ２４の処理は制御部２０４により実行される。
【００５８】
そして、受信部３０３にて状態情報Ｉｓｎを受信後（ステップＳ２５）、表示部３０４により状態情報Ｉｓｎを表示する（ステップＳ２６）。上記ステップＳ２５、Ｓ２６の処理は制御部３０５により実行される。
【００５９】
表示部３０４における状態情報Ｉｓｎの表示例を図８に示す。
【００６０】
受信部３０３にて受信した所望の製造／検査装置の加工数量、不良数量、異常停止回数、運転集計開始時刻などの状態情報Ｉｓｎをコンピュータ３１０の表示部３０４に表示する。
【００６１】
上述した状態情報Ｉｓｎを受信する動作を一度行うと、随時受信動作を自動で行い、その度ごとに、表示部３０４の表示を自動で更新するようにすることも可能である。
【００６２】
また、選択部３０１によって状況把握を所望する製造／検査装置を選択しているが、コンピュータ３１０の使用者が所望の製造／検査装置を選択するようにしても、また、コンピュータ３１０の制御部３０５によって、あらかじめ設定された制御により、製造／検査装置を選択するようにしてもよい。
【００６３】
以上説明した本実施の形態によれば、サーバ装置２００を介して工場内ネットワーク１００とオフィスネットワーク３００を接続したことにより、製造／検査装置１０１の状態情報Ｉｓｎを、随時サーバ装置２００内の記憶部２０２に格納することができ、オフィスネットワーク３００のコンピュータ３１０は、該サーバ装置２００の記憶部２０２から、常に最新の状態情報Ｉｓｎを取得でき、装置を遠隔から管理／監視することが可能になる。
【００６４】
また、監視対象である装置１０１と、監視するコンピュータ３１０とを、それぞれ工場内ネットワーク１００とオフィスネットワーク３００の別のネットワーク内に構成したので、装置の監視セキュリティー性が向上するという効果がある。
【００６５】
オフィスネットワーク３００が、製造／検査装置の保守管理委託会社や製造／検査装置の製造会社内にある場合には、装置を設置する工場に出向かず、遠隔から装置の状態を監視することが可能になり、また、オフィスネットワーク３００が、工場が属する企業の管理部門内である場合には、工場内のすべての装置の状態を時系列で管理部門において管理することが可能になるなどの効果がある。
【００６６】
また、工場内ネットワーク１００およびサーバ装置２００の接続は、ＵＤＰを活用することにより、サーバ装置２００の認証が不要になることから、装置内のコンピュータ１０２の制御負荷が減少すると共に、特定情報Ｉｎｎと状態情報Ｉｓｎの送信が、より高速かつ高頻度に行うことができ、サーバ装置２００内の記憶部２０２には、常により最新の状態情報Ｉｓｎを格納することが可能になる。
【００６７】
なお、ステップＳ２３で最新の状態情報Ｉｓｎを抽出して送信しているが、記憶部２０２に格納されている特定情報Ｉｎｎに対応するすべての状態情報Ｉｓｎを送信するようにしてもよい。
【００６８】
（第２の実施の形態）
図９に第２の実施の形態におけるサーバ装置２００の構成図を示す。
【００６９】
第２の実施の形態におけるサーバ装置２００は、第１の実施の形態におけるサーバ装置２００に第３の記憶手段としての補助記憶部２０５を設けたものである。その他の構成は第１の実施の形態と同様である。
【００７０】
製造／検査装置１０１からサーバ装置２００に随時送信される前記状態情報Ｉｓｎと前記特定情報Ｉｎｎとの対を補助記憶部２０５に格納し、あらかじめ設定した規定容量または規定時間に達すると、それまで格納した状態情報Ｉｓｎと特定情報Ｉｎｎとの対をすべて一括して記憶部２０２へ移動させる。
【００７１】
そして、補助記憶部２０５から一括移動した状態情報Ｉｓｎと特定情報Ｉｎｎとの対は、記憶部２０２に第１の実施の形態と同様に製造／検査装置１０１毎の時系列にて格納される。
【００７２】
補助記憶部２０５にあらかじめ設定される規定容量または規定時間は、補助記憶部２０５の性能や、工場内ネットワーク１００内の装置の数、つまり送信される状態情報Ｉｓｎと特定情報Ｉｎｎとの対の数に基づいて定める。
【００７３】
なお、サーバ装置２００に複数の補助記憶部２０５を設け、工場内ネットワーク１００内の装置を複数の補助記憶部２０５に分別してもよい。
【００７４】
その他の実施の動作は第１の実施の形態と同様である。
【００７５】
以上説明した第２の実施の形態によれば、サーバ装置２００に補助記憶部２０５を設けたことにより、製造／検査装置１０１から送信される状態情報Ｉｓｎと特定情報Ｉｎｎとの対を確実に受信することが可能になる。
【００７６】
また、製造／検査装置１０１からの送信された状態情報Ｉｓｎの格納動作と、コンピュータ３１０からの状態情報Ｉｓｎの抽出動作がそれぞれ別の記憶手段に対してされるため、動作を迅速に行うことが可能になる。
【００７７】
さらに、記憶部２０２に損傷が生じた場合など、その復旧までの間、補助記憶部２０５に規定容量を増大するように設定すれば、状態情報Ｉｓｎを確実に格納することが可能になる。
【００７８】
（第３の実施の形態）
図１０は第３の実施の形態による製造／検査装置管理システムの概要構成を示すブロック図である。
【００７９】
サービスネットワーク４００は、公衆回線を含み、サービスサーバ４０１や、携帯電話やＰＤＡなどの携帯情報端末４０２からサーバ装置２００に接続可能に構成されている。
【００８０】
サービスサーバ４０１や、携帯情報端末４０２から、状況把握を所望する製造／検査装置１０１の特定情報Ｉｎｎを入力し、状態情報要求信号ＱＩｓと共にサーバ装置２００へ送信する。
【００８１】
サーバ装置２００はサービスネットワーク４００から状態情報要求信号ＱＩｓと特定情報Ｉｎｎを受信すると、受信した特定情報Ｉｎｎに対応する最新の状態情報Ｉｓｎを、記憶部２０２から抽出し、送信部２０３により、状態情報要求信号ＱＩｓが送信された携帯情報端末などへ該状態情報Ｉｓｎを送信する。
【００８２】
本実施の形態によれば、装置の責任者や保守管理者が工場にもオフィスにもいない場合などに、遠隔地から容易に装置の状態を把握することが可能になる。
【００８３】
（第４の実施の形態）
図１１に第４の実施の形態におけるコンピュータ１０２のブロック図を示す。
【００８４】
第４の実施の形態におけるコンピュータ１０２は第１の実施の形態の構成に加えて受信部１０７、第１の表示手段としての表示部１０８および第１の入力手段としての入力部１０９を設けたものである。
【００８５】
受信部１０７は、サーバ装置２００から送信される後に詳述する掲示板Ｗｅｂページを受信するためのものである。
【００８６】
表示部１０８は、受信部１０７で受信した掲示板Ｗｅｂページを、コンピュータ１０２に搭載したＷｅｂブラウザの機能によって閲覧可能にするためのものである。
【００８７】
入力部１０９は、キーボードやポインティングデバイスなどで構成され、表示部１０８に表示された掲示板Ｗｅｂページ上にメッセージ情報Ｍｇを入力したり、閲覧中の掲示板Ｗｅｂページ上の新規登録ボタンやせボタンなどのメッセージ種別ＫＭｇを選択するためのものである。
【００８８】
図１２に第４の実施の形態におけるコンピュータ３１０のブロック図を示す。
【００８９】
第４の実施の形態におけるコンピュータ３１０は第１の実施の形態の構成に加えて第２の入力手段としての入力部３０６および第２の記憶手段としての記憶部３０７を設けたものである。
【００９０】
入力部３０６は、コンピュータ１０２に備えた入力部１０９と同様に機能し、キーボードやポインティングデバイスなどで構成され、表示部３０４に表示された掲示板Ｗｅｂページ上にメッセージ情報Ｍｇを入力したり、閲覧中の掲示板Ｗｅｂページ上の新規投稿ボタンなどのボタンなどのメッセージ種別ＫＭｇを選択するためのものである。
【００９１】
記憶部３０７は、工場内ネットワーク１００を構成する複数の製造／検査装置１０１のうち、一の製造／検査装置を特定するための装置の製造番号などの特定情報Ｉｎｎを記憶している。
【００９２】
図１３に工場内ネットワーク１００およびオフィスネットワーク３００内のコンピュータ１０２、３１０に具備された表示部１０８、３０４に表示される掲示板Ｗｅｂページの表示例を示す。後に詳述する電子掲示板システムは、製造／検査装置１０１ごとに、掲示板Ｗｅｂページを構築している。
【００９３】
コンピュータの操作者は、所望の製造／検査装置１０１の掲示板Ｗｅｂページにメッセージを投稿するに際し、名前、メールアドレス、参考ＵＲＬ、題名および本文を入力部１０９、３０６によって入力し、メッセージ情報Ｍｇとして送信部１０５、３０２からサーバ装置２００へ送信する。
【００９４】
ここで、メッセージを掲示板に投稿する際には、通常「新規」と「返信」どちらかを選択して入力する、「新規」とは掲示板Ｗｅｂページに通常通り投稿を行う場合で、「返信」とは、閲覧中のメッセージのうち、所望のメッセージに対して返信の形式で投稿を行う場合である。「新規」と「返信」の別をメッセージ種別ＫＭｇとして、上述したメッセージ情報Ｍｇと対で送信する。
【００９５】
図１４に第４の実施の形態におけるサーバ装置２００のブロック図を示す。
【００９６】
第４の実施の形態におけるサーバ装置２００は第１の実施の形態の構成に加えて電子掲示板システム２０６を設けたものである。
【００９７】
この電子掲示板システム２０６は、メッセージ登録部２０６ａ、メッセージ格納部２０６ｂおよびＷｅｂページ作成部２０６ｃとを備えている。
【００９８】
メッセージ登録部２０６ａは、コンピュータ１０２、３１０から送信されたメッセージ情報Ｍｇを電子掲示板システム２０６に対するメッセージ情報の登録、およびその前後の処理を実行する部分である。具体的には、メッセージ情報Ｍｇを受信してメッセージ種別Ｋｍｇを判断して前記メッセージ格納部２０６ｂに格納する機能を装備している。
【００９９】
メッセージ格納部２０６ｂは、受信したメッセージ情報Ｍｇを製造／検査装置１０１ごとにメッセージ種別Ｋｍｇに応じて格納し、格納したメッセージを閲覧時にＷｅｂページ作成部２０６ｃに送信する機能を装備している。
【０１００】
一方、Ｗｅｂページ作成部２０６ｃは前記メッセージ格納部２０６ｂに格納されたメッセージを閲覧する際に機能し、具体的には、工場内ネットワーク１００およびオフィスネットワーク３００内のコンピュータ１０２、３１０から所望の製造／検査装置１０１の掲示板Ｗｅｂページの閲覧要求信号Ｓｇがサーバ装置２００へ送信されると、メッセージ格納部２０６ｂから対応するメッセージを受信し、閲覧可能な掲示板Ｗｅｂページを作成する機能を持つ。
【０１０１】
これにより、閲覧要求信号Ｓｇを送信したコンピュータに作成した掲示板Ｗｅｂページを送信部２０３より送信する。
【０１０２】
その他の構成は第１の実施の形態と同様であるので、細部の説明を省略する。
【０１０３】
次に本実施の形態における動作について説明する。
【０１０４】
図１５は掲示板Ｗｅｂページの閲覧／投稿動作を示すフローチャートである。
【０１０５】
ここでは、工場内ネットワーク１００内の製造／検査装置１０１に具備されたコンピュータ１０２から、掲示板Ｗｅｂページの閲覧／投稿を行う動作について説明するが、オフィスネットワーク内３００のコンピュータ３１０から行う場合の動作も同様である。
【０１０６】
まず、操作者は、コンピュータ１０２の表示部１０８に表示された図１６に示す選択画面より掲示板Ｗｅｂページの閲覧／投稿を所望する製造／検査装置１０１を入力部１０９によって選択する（ステップＳ４０）。
【０１０７】
前記記憶部１０３内に記憶した特定情報より選択された製造／検査装置１０１に対応する特定情報Ｉｎｎと、閲覧要求信号Ｓｇとの対を、送信部１０５よりサーバ装置２００へ送信する（ステップＳ４１）。このステップＳ４１の処理は制御部１０６の制御に基づいて実行される。
【０１０８】
次に、サーバ装置２００の受信部２０１が、特定情報Ｉｎｎと、閲覧要求信号Ｓｇとの対を受信した後（ステップＳ４２）、電子掲示板システム２０６のメッセージ格納部２０６ｂは、受信した特定情報Ｉｎｎに対応するメッセージ情報をＷｅｂページ作成部２０６ｃに送信する（ステップＳ４３）。
【０１０９】
これにより、Ｗｅｂページ作成部２０６ｃは、メッセージ格納部２０６から送信されたメッセージ情報に基づき、閲覧可能な掲示板Ｗｅｂページを作成する（ステップＳ４４）。
【０１１０】
そして、作成された掲示板Ｗｅｂページを送信部２０３より、コンピュータ１０２に送信する（ステップＳ４５）。これらステップＳ４２からステップＳ４５までの処理は制御部２０４の制御に基づいて実行される。
【０１１１】
その後、送信された掲示板Ｗｅｂページを受信部１０７にて受信し（ステップＳ４６）、表示部１０８にて掲示板Ｗｅｂページを表示する（ステップＳ４７）。　　これらステップＳ４６、ステップＳ４７までの処理は制御部１０６の制御に基づいて実行される。
【０１１２】
操作者は、表示部１０８に表示された既定の箇所にメッセージ情報Ｍｇを入力部１０９より入力し、メッセージ種別ＫＭｇとして新規投稿ボタンもしくは返信投稿ボタンを選択する（ステップＳ４８）。
【０１１３】
その後、制御部１０６の制御によって、入力されたメッセージ情報Ｍｇと選択されたメッセージ種別ＫＭｇとの対、および閲覧中の製造／検査装置１０１の特定情報Ｉｎｎを送信部１０５からサーバ装置２００へ送信する（ステップＳ４９）。
【０１１４】
送信されたメッセージ情報Ｍｇとメッセージ種別ＫＭｇとの対、および特定情報Ｉｎｎを、受信部２０１にて受信すると（ステップＳ５０）、メッセージ登録部２０６ａにて、受信した特定情報Ｉｎｎごとに新規投稿か、返信投稿かをメッセージ種別ＫＭｇに従って判断してメッセージ情報Ｍｇをメッセージ格納部２０６ｂに格納する（ステップＳ５１）。これらステップＳ５０からステップＳ５１の処理は制御部２０４の制御に基づいて実行される。以上で図１５に示す処理を終了する。
【０１１５】
上述したメッセージ格納部２０６ｂにおいては特定情報ごとにメッセージを格納し、製造／検査装置１０１ごとに掲示板Ｗｅｂページを閲覧可能に作成しているが、これには限られず、例えば「情報交換の掲示板」や「異常や緊急の情報掲示板」などであってもよい。掲示板を識別する信号を閲覧要求信号Ｓｇと共にサーバ装置に送信すればよい。
【０１１６】
本実施の形態によれば、工場内ネットワーク１００と、オフィスネットワーク３００に接続されたサーバ装置に、電子掲示板システム２０６を設けて製造／検査装置ごとに掲示板Ｗｅｂページを格納することにより、工場内の作業者等からのメッセージを遠隔から確認し、対応することが可能になる。
【０１１７】
また、掲示板Ｗｅｂページにより過去のメッセージを閲覧することが可能になるため、製造／検査装置に障害が発生した場合の対応などを確認することも可能になる。
【０１１８】
【発明の効果】
以上説明したように、本発明によれば、工場内ネットワークと、オフィスネットワークに接続されたサーバ装置に、電子掲示板システムを設けて製造／検査装置ごとに分類して格納することにより、掲示板Ｗｅｂページを閲覧することにより、製造／検査装置に関する情報交換が可能になる。
【０１１９】
例えば、オフィスネットワークが、装置の保守管理委託会社や製造会社内にある場合には、装置を設置する工場に出向かず、オフィスネットワーク内のコンピュータで掲示板Ｗｅｂページを閲覧し、工場内の作業者等からのメッセージに対して確認し、対応することが可能になる。
【０１２０】
また、掲示板Ｗｅｂページにより過去のメッセージを閲覧することが可能になるため、製造／検査装置に障害が発生した場合の対応などを確認することも可能になる。
【０１２１】
遠隔から装置に関する情報を閲覧することが可能になり、また、オフィスネットワークが、工場が属する企業の管理部門内である場合には、工場内のすべての装置の状態を時系列で管理することが可能になるなどの効果がある。
【図面の簡単な説明】
【図１】製造／検査装置管理システムの概要構成を示すブロック図。
【図２】工場内ネットワーク内の製造／検査装置の概要構成を示すブロック図。
【図３】サーバ装置の概要構成を示すブロック図。
【図４】記憶部に格納された状態情報Ｉｓｎを示す表。
【図５】オフィスネットワーク内のコンピュータの概要構成を示すブロック図。
【図６】製造／検査装置から状態情報Ｉｓｎを送信する動作を示すフローチャート。
【図７】サーバ装置から状態情報Ｉｓｎを受信する動作を示すフローチャート。
【図８】表示部における状態情報Ｉｓｎの表示例。
【図９】第２の実施の形態によるサーバ装置の説明図。
【図１０】第３の実施の形態による製造／検査装置管理システムの概要構成を示すブロック図。
【図１１】第４の実施の形態におけるコンピュータ１０２のブロック図。
【図１２】第４の実施の形態におけるコンピュータ３１０のブロック図。
【図１３】掲示板Ｗｅｂページの表示例。
【図１４】第４の実施の形態におけるサーバ装置２００のブロック図。
【図１５】掲示板Ｗｅｂページの閲覧／投稿動作を示すフローチャート。
【図１６】選択画面の表示例。
【符号の説明】
１００　工場内ネットワーク
１０１　製造／検査装置
１０２　コンピュータ
１０３　記憶部
１０４　検出部
１０５　送信部
１０６　制御部
１０７　受信部
１０８　表示部
１０９　入力部
２００　サーバ装置
２０１　受信部
２０２　記憶部
２０３　送信部
２０４　制御部
２０５　補助記憶部
２０６　電子掲示板システム
２０６ａ　メッセージ登録部
２０６ｂ　メッセージ格納部
２０６ｃ　Ｗｅｂページ作成部
３００　オフィスネットワーク
３０１　選択部
３０２　送信部
３０３　受信部
３０４　表示部
３０５　制御部
３０６　入力部
３０７　記憶部
３１０　コンピュータ
４００　サービスネットワーク
４０１　サービスサーバ
４０２　携帯情報端末
Ｉｓｎ　状態情報
Ｉｎｎ　特定情報
ＱＩｓ　状態情報要求信号
Ｉｃｎ　操作情報
Ｉｐｓｎ　特殊状態情報
Ｉａ　送信先情報
Ｍｇ　メッセージ情報
ＫＭｇ　メッセージ種別
Ｓｇ　　閲覧要求信号
【図１】
2004072329.tif 000003
【図２】
2004072329.tif 000004
【図３】
2004072329.tif 000005
【図４】
2004072329.tif 000006
【図５】
2004072329.tif 000007
【図６】
2004072329.tif 000008
【図７】
2004072329.tif 000009
【図８】
2004072329.tif 000010
【図９】
2004072329.tif 000011
【図１０】
2004072329.tif 000012
【図１１】
2004072329.tif 000013
【図１２】
2004072329.tif 000014
【図１３】
2004072329.tif 000015
【図１４】
2004072329.tif 000016
【図１５】
2004072329.tif 000017
【図１６】
2004072329.tif 000018